(57)【要約】【課題】施工、解体、移設、再使用等が容易で、施工期間を短縮し得るようにしたパネル収納体、建築物の壁面構造およびその壁面工法を提供する。【解決手段】構造体２１の各コーナー部Ｋをパネル収納体６４Ａ〜６４Ｄとし、その内部に複数枚の壁パネル２５をその厚さ方向に積ねて収納する。壁パネル２５はパネル吊架手段３４によって送出レール６８に吊架されている。構造体２１を形成する軒梁部材５５と上枠部材５６の下面に移送レール７６を設け、この移送レール７６に対応して基礎体５１の上面に位置決め部材６０を設ける。各パネル収納体６４Ａ〜６４Ｄ内に収納されている壁パネル２５を送出レール６８に沿って順次引き出した後、送出レール７６に沿って矢印１，Ｙ２，Ｙ３，Ｙ４方向にそれぞれ移動させて隣り合うパネル２５どうしの側端面を互いに突き合わせることにより壁面構造とし、各壁パネル２５の上下端を移送レール７６と位置決め部材６０に位置決め固定する。【選択図】　　　　図１４
2004092379.tif 000002
【特許請求の範囲】
【請求項１】
複数枚の壁パネルを垂直かつ厚さ方向に重ね合わせて収納するパネル収納空間を有し、このパネル収納空間内の前記壁パネルを水平方向でかつパネル面と平行な方向に出すことができる搬送可能なパネル収納体であって、基礎体上に設置されることにより建築物の構造体の一部を構成する建築物用パネル収納体。
【請求項２】
請求項１記載の建築物用パネル収納体において、
前記パネル収納体が、直方体のパネル収納空間を形成する複数本の柱材と、隣り合う当該柱材の上端あるいは上下両端をそれぞれ連結する枠部材と、前記壁パネルを吊架しつつ前記パネル収納空間内に収納するために前記パネル収納空間の上部において前記壁パネルの厚さ方向に延在するように架設された複数本の梁材とで構成されており、当該梁材は前記壁パネルを前記パネル収納空間外へ送出するためのレールであることを特徴とする建築物用パネル収納体。
【請求項３】
請求項１または２記載の建築物用パネル収納体において、
直方体のパネル収納空間を形成する複数本の柱材のうち、少なくとも１本は仮設柱材であり、当該仮設柱材は建築時において取り外すことが可能であることを特徴とする建築物用パネル収納体。
【請求項４】
請求項１〜３のうちのいずれか１つに記載の建築物用パネル収納体において、
直方体のパネル収納空間を形成している隣り合う柱材の下端どうしを連結する形材を備えており、当該形材が基礎体の一部となることを特徴とする建築物用パネル収納体。
【請求項５】
基礎体の上に建築される複数枚の壁パネルを有する建築物の壁面構造において、
前記複数枚の壁パネルをその厚さ方向に重ね合わせて垂直に収納するパネル収納空間を有し前記基礎体上に設置されたパネル収納体と、このパネル収納体の上部に前記壁パネルの厚さ方向に延在するように設けられた送出レールと、前記壁パネルによって形成される壁面構造の上部に設けられた軒梁部材と、この軒梁部材と前記パネル収納体の上枠部材に取付けられ、前記パネル収納体から引き出された各壁パネルをその面方向に移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたことを特徴とする建築物の壁面構造。
【請求項６】
基礎体の上に建築される複数枚の壁パネルを有する建築物の壁面構造において、
前記複数枚の壁パネルをその厚さ方向に重ね合わせて垂直に収納するパネル収納空間を有し、前記壁パネルによって形成される壁面構造のいずれか一方端に設けられたパネル収納体と、このパネル収納体の上部に前記壁パネルの厚さ方向に延在するように設けられた送出レールと、前記パネル収納体の上枠部材と他方のコーナー部の柱とを連結する軒梁部材と、前記上枠部材と前記軒梁部材にそれぞれ取付けられ前記パネル収納体から引き出された各壁パネルをその面方向に移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたことを特徴とする建築物の壁面構造。
【請求項７】
基礎体の上に建築される複数枚の壁パネルを有する建築物の壁面構造において、
前記複数枚の壁パネルをその厚さ方向に重ね合わせて垂直に収納するパネル収納空間を有し、前記壁パネルによって形成される壁面構造の両端にそれぞれ設けられた２つのパネル収納体と、これらのパネル収納体の上部に前記壁パネルの厚さ方向に延在するように設けられた送出レールと、前記２つのパネル収納体の上枠部材を連結する軒梁部材と、前記上枠部材と前記軒梁部材にそれぞれ取付けられ前記各パネル収納体から引き出された各壁パネルを他方のパネル収納体方向に移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたことを特徴とする建築物の壁面構造。
【請求項８】
基礎体の上に建築される複数枚の壁パネルを有する建築物の壁面構造において、
前記複数枚の壁パネルをその厚さ方向に重ね合わせて垂直に収納するパネル収納空間を有し、前記壁パネルによって形成される壁面構造の一端と中間部にそれぞれ設けられた２つのパネル収納体と、これらのパネル収納体の上部に前記壁パネルの厚さ方向に延在するように設けられた送出レールと、前記２つのパネル収納体の上枠部材と前記壁面構造の他端側に位置する柱とを連結する軒梁部材と、前記上枠部材と前記軒梁部材にそれぞれ取付けられ前記各パネル収納体から引き出された各壁パネルを移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたことを特徴とする建築物の壁面構造。
【請求項９】
基礎体の上に建築される複数枚の壁パネルを有する建築物の壁面構造において、
前記複数枚の壁パネルをその厚さ方向に重ね合わせて垂直に収納するパネル収納空間を有し、前記建築物の４つのコーナー部にそれぞれ設けられた４つのパネル収納体と、これらのパネル収納体の上部に前記壁パネルの厚さ方向に延在するように設けられた送出レールと、隣り合うパネル収納体の上枠部材をそれぞれ連結する複数の軒梁部材と、前記上枠部材と前記軒梁部材にそれぞれ取付けられ前記各パネル収納体から引き出された各壁パネルを隣り合う他方のコーナー部に向かって移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備え、
前記各パネル収納体内に収納されている壁パネルは、隣り合うパネル収納体内の壁パネルと直交していることを特徴とする建築物の壁面構造。
【請求項１０】
請求項５〜９のうちのいずれか１つに記載の建築物の壁面構造において、
前記パネル吊架手段は、壁パネルに取付けられたボルトと、このボルトに装着されレールに沿って移動する移動体とを備え、前記壁パネルを高さ調整可能に吊架することを特徴とする建築物の壁面構造。
【請求項１１】
請求項５〜１０のうちのいずれか１つに記載の建築物の壁面構造において、
前記パネル吊架手段のボルトには前記送出レールおよび移送レール内を走行するための車輪を有するランナーが設けられており、このランナーは前記ボルトに対して回転自在であることを特徴とする建築物の壁面構造。
【請求項１２】
請求項１１記載の建築物の壁面構造において、
前記パネル吊架手段の移動方向を転換させる方向転換装置が前記送出レールと移送レールとの交差部に設置されており、この方向転換装置は、前記交差部に水平面内において回転自在に配置された回動レールを備え、この回動レールは、前記パネル吊架手段のボルトが出入りする長孔と、当該回動レールを回転させるための回転操作部とが設けられていることを特徴とする建築物の壁面構造。
【請求項１３】
請求項１２に記載の建築物の壁面構造において、
前記壁パネルを移動させて前記回動レール内に前記パネル吊架手段を進入させた後、前記回動レールを前記回転操作部を用いて回転させて前記パネル吊架手段の走行方向を転換させることにより前記壁パネルの移動方向を変更させることを特徴とする建築物の壁面構造。
【請求項１４】
複数の鋼材で基礎体を構築する工程と、
前記基礎体上に建築される建築物であって、内部がパネル収納空間を形成し、上部に壁面と直交する送出レールを有するパネル収納体を製作する工程と、
前記パネル収納体のパネル収納空間内に複数枚の壁パネルをその板厚方向に重ね合わせて垂直に、かつパネル吊架手段によって前記送出レールに沿って板厚方向に移動自在に吊架して収納する工程と、
前記壁パネルを吊架、収納した前記パネル収納体を前記基礎体上に設置固定して前記壁パネルによって形成される壁面構造の一端とする工程と、
前記パネル収納体の上枠部材と、前記壁面構造の他端側に位置する柱または該他端側に設けた他のパネル収納体の上枠部材とを建築物の構造体の一部を構成する軒梁部材によって互いに連結する工程と、
前記パネル収納体内の壁パネルを前記送出レールに沿って順次引き出して前記軒梁部材および前記上枠部材に予め設けた移送レールに沿って前記柱または他方のパネル収納体に向かって壁面と平行に移動させることにより、前記パネル収納体と前記柱または他方のパネル収納体間を前記複数枚の壁パネルで覆う工程と、前記パネル吊架手段によって各壁パネルを下降させて該壁パネルの上端側と下端側を前記移送レールと、この移送レールに対向して前記基礎体上に予め設けた位置決め部材に位置決め、固定することにより壁面を形成する工程と、
を備えたことを特徴とする建築物の壁面工法。
【請求項１５】
建築現場に基礎体を構築する工程と、
複数枚の壁パネルをパネル吊架手段により該壁パネルの板厚方向に延在する送出レールに沿って引き出し自在に吊架、収納したパネル収納体を前記基礎体の各コーナー部に、内部の壁パネルが隣り合うパネル収納体内の壁パネルと互いに直交するようにそれぞれ向きを変えて設置するとともに、隣り合うパネル収納体の上枠部材を軒梁部材によって互いに連結する工程と、
前記各コーナー部に設置されたパネル収納体内の壁パネルを前記送出レールに沿って順次引き出した後、前記軒梁部材および前記上枠部材に予め設けた移送レールに沿って移動させることにより、隣り合うコーナー部間を前記複数枚の壁パネルによってそれぞれ覆う工程と、
前記パネル吊架手段によって各壁パネルを下降させて該壁パネルの上端側と下端側を前記移送レールと、この移送レールに対向して前記基礎体上に予め設けた位置決め部材に位置決め、固定することにより建築物の壁面を形成する工程と、を備えたことを特徴とする建築物の壁面工法。
【発明の詳細な説明】
【０００１】
【発明の属する技術分野】
本発明は、壁パネルの搬送性を向上させるとともに、施工、解体、移設、再使用を容易に行えるようにした建築物用パネル収納体、建築物の壁面構造およびその壁面工法に関するものである。
【０００２】
【従来の技術】
コンビニエンスストーア、カーディーラーのショールーム、フランチャイズ店、仮設住宅、ファミリーレストラン等の建築物は、現場でパネル材に寸法加工、治具付け等を施して壁面を形成する建築物が主流をなしている。
【０００３】
図２１はこの種の建築物の従来例を示す概略断面図である。同図において、１は底盤コンクリート、２は基礎コンクリート、３は土間コンクリート、４は鉄骨製の柱、５は鉄骨製の梁、６は母屋、７は屋根、８は外壁、９は内壁、１０は天井である。外壁８は、所定の大きさからなる壁パネル１１を複数枚幅方向に突き合わせて接合することにより壁面を形成し、建築物１２の隣り合うコーナー部に設けた柱４間を覆っている。
【０００４】
前記壁パネル１１は、上端が梁５に、下端が土台１３にそれぞれボルト等の適宜な固定手段によって固定されており、内側に内壁９が取付けられている。壁パネル１１による壁面の施工に当たっては、作業者が壁パネル１１を一枚ずつ保持して位置決めした後、上端と下端を梁５と土台１３にボルト等の固定手段によって固定し、また柱４に対応するパネル部分については柱４に対して同じく固定手段によって固定している。
【０００５】
【発明が解決しようとする課題】
上記した従来の建築物の壁面工法は、底盤コンクリート１と基礎コンクリート２を現場で施工し、その上に柱４、梁５等で建築物の構造体を構築した後、壁パネル１１を現場で一枚一枚穴明け等の加工を施しながら取付けて外壁８を組み立てていた。しかしながら、このような外壁の組み立て方法では、現場での組付け、調整に要する作業時間が長くかかり、また作業も繁雑で熟練を要し、施工費用が嵩むという問題があった。
また、穴明け等の加工を施して現場で調整して組み立てているため、解体して他所に移設する場合、再使用し難いという問題もあった。
【０００６】
本発明は上記した従来の問題を解決するためになされたもので、その目的とするところは、壁パネルの搬送性を向上させるようにした建築物用パネル収納体を提供することにある。
【０００７】
また、本発明は、施工、解体、移設、再使用等が容易で、施工期間を短縮し得るようにした建築物の壁面構造およびその壁面工法を提供することにある。
【０００８】
【課題を解決するための手段】
上記目的を達成するために、第１の発明に係る建築物用パネル収納体は、複数枚の壁パネルを垂直かつ厚さ方向に重ね合わせて収納するパネル収納空間を有し、このパネル収納空間内の前記壁パネルを水平方向でかつパネル面と平行な方向に出すことができる搬送可能なパネル収納体であって、基礎体上に設置されることにより建築物の構造体の一部を構成するものである。
【０００９】
第１の発明において、パネル収納体は建築物の施工、移設等において壁パネルを搬送する搬送ケースとして機能し、建築後は施工現場の基礎体上にそのまま設置固定されることにより建築物の構造体の一部を構成する。
【００１０】
第２の発明に係る建築物用パネル収納体は、上記第１の発明において、前記パネル収納体が、直方体のパネル収納空間を形成する複数本の柱材と、隣り合う当該柱材の上端あるいは上下両端をそれぞれ連結する枠部材と、前記壁パネルを吊架しつつ前記パネル収納空間内に収納するために前記パネル収納空間の上部において前記壁パネルの厚さ方向に延在するように架設された複数本の梁材とで構成されており、当該梁材は前記壁パネルを前記パネル収納空間外へ送出するためのレールであるものである。
【００１１】
第２の発明において、柱材と枠部材がパネル収納空間を形成し、構造体の一部として用いられる。梁材は壁パネルをパネル収納空間の外部に送出するレールとして用いられる。
【００１２】
第３の発明に係る建築物用パネル収納体は、上記第１または第２の発明において、直方体のパネル収納空間を形成する複数本の柱材のうち、少なくとも１本は仮設柱材であり、当該仮設柱材は建築時において取り外すことが可能であるものである。
【００１３】
第３の発明においては、仮設柱材は建築後取り外されることにより、室内空間を広くする。
【００１４】
第４の発明に係る建築物用パネル収納体は、上記第１〜第３の発明のうちのいずれか１つにおいて、直方体のパネル収納空間を形成している隣り合う柱材の下端どうしを連結する形材を備えており、当該形材が基礎体の一部となるものである。
【００１５】
第４の発明においては、形材をパネル収納体の下端に取付けておくと、パネル収納体の強度が増大するため、搬送時の変形、歪み等を防止することができ、建築後は基礎体の一部を構成する。
【００１６】
第５の発明に係る建築物の壁面構造は、基礎体の上に建築される複数枚の壁パネルを有する建築物の壁面構造において、前記複数枚の壁パネルをその厚さ方向に重ね合わせて垂直に収納するパネル収納空間を有し前記基礎体上に設置されたパネル収納体と、このパネル収納体の上部に前記壁パネルの厚さ方向に延在するように設けられた送出レールと、前記壁パネルによって形成される壁面構造の上部に設けられた軒梁部材と、この軒梁部材と前記パネル収納体の上枠部材に取付けられ、前記パネル収納体から引き出された各壁パネルをその面方向に移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたものである。
【００１７】
第５の発明においては、壁パネルがパネル吊架手段によってレールに移動自在に吊架されているので、作業者が壁パネルを持ち上げる必要がなく、パネル収納体からの壁パネルの引き出し作業、パネル収納体内への収納作業を容易に行うことができる。壁パネルは、パネル収納体から送出レールに沿って順次引き出されると移送レールに沿って移動して一連に並ぶことにより壁面を形成する。パネル収納体の設置位置は、壁面構造の端または中間部のいずれであってもよい。
【００１８】
第６の発明に係る建築物の壁面構造は、基礎体の上に建築される複数枚の壁パネルを有する建築物の壁面構造において、前記複数枚の壁パネルをその厚さ方向に重ね合わせて垂直に収納するパネル収納空間を有し、前記壁パネルによって形成される壁面構造のいずれか一方端に設けられたパネル収納体と、このパネル収納体の上部に前記壁パネルの厚さ方向に延在するように設けられた送出レールと、前記パネル収納体の上枠部材と他方のコーナー部の柱とを連結する軒梁部材と、前記上枠部材と前記軒梁部材にそれぞれ取付けられ前記パネル収納体から引き出された各壁パネルをその面方向に移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたものである。
【００１９】
第６の発明においては、パネル収納体が壁面構造のいずれか一方端に設置され、当該パネル収納体から引き出された壁パネルが他方端に向かって移動して一連に並ぶことにより壁面を形成する。
【００２０】
第７の発明に係る建築物の壁面構造は、基礎体の上に建築される複数枚の壁パネルを有する建築物の壁面構造において、前記複数枚の壁パネルをその厚さ方向に重ね合わせて垂直に収納するパネル収納空間を有し、前記壁パネルによって形成される壁面構造の両端にそれぞれ設けられた２つのパネル収納体と、これらのパネル収納体の上部に前記壁パネルの厚さ方向に延在するように設けられた送出レールと、前記２つのパネル収納体の上枠部材を連結する軒梁部材と、前記上枠部材と前記軒梁部材にそれぞれ取付けられ前記各パネル収納体から引き出された各壁パネルを他方のパネル収納体方向に移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたものである。
【００２１】
第７の発明においては、パネル収納体が壁面構造の両端にそれぞれ設置され、各パネル収納体から引き出された壁パネルが他方のパネル収納体方向に移動して一連に並ぶことにより壁面を形成する。２つのパネル収納体は、壁パネルを分散して吊架、収納し、間口が広かったり奥行きのある建築物や長い塀などに適用して好適である。
【００２２】
第８の発明に係る建築物の壁面構造は、基礎体の上に建築される複数枚の壁パネルを有する建築物の壁面構造において、前記複数枚の壁パネルをその厚さ方向に重ね合わせて垂直に収納するパネル収納空間を有し、前記壁パネルによって形成される壁面構造の一端と中間部にそれぞれ設けられた２つのパネル収納体と、これらのパネル収納体の上部に前記壁パネルの厚さ方向に延在するように設けられた送出レールと、前記２つのパネル収納体の上枠部材と前記壁面構造の他端側に位置する柱とを連結する軒梁部材と、前記上枠部材と前記軒梁部材にそれぞれ取付けられ前記各パネル収納体から引き出された各壁パネルを移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備えたものである。
【００２３】
第８の発明においては、パネル収納体が壁面構造の一端と中間部に設置され、一端側のパネル収納体から引き出された壁パネルが中間部のパネル収納体に向かって移動し、中間部のパネル収納体から引き出された壁パネルが他端に向かって移動し、一連に並ぶことにより壁面を形成する。２つのパネル収納体は、壁パネルを分散して吊架、収納し、間口が広かったり奥行きのある建築物や長い塀などに適用して好適である。
【００２４】
第９の発明に係る建築物の壁面構造は、基礎体の上に建築される複数枚の壁パネルを有する建築物の壁面構造において、前記複数枚の壁パネルをその厚さ方向に重ね合わせて垂直に収納するパネル収納空間を有し、前記建築物の４つのコーナー部にそれぞれ設けられた４つのパネル収納体と、これらのパネル収納体の上部に前記壁パネルの厚さ方向に延在するように設けられた送出レールと、隣り合うパネル収納体の上枠部材をそれぞれ連結する複数の軒梁部材と、前記上枠部材と前記軒梁部材にそれぞれ取付けられ前記各パネル収納体から引き出された各壁パネルを隣り合う他方のコーナー部に向かって移動させる移送レールと、前記各壁パネルの上部に取付けられ、該壁パネルを前記送出レールおよび前記移送レールに沿って移動可能に吊架するパネル吊架手段と、前記基礎体上に前記移送レールに対向して設けられ、前記各壁パネルの下端を位置決めする位置決め部材とを備え、前記各パネル収納体内に収納されている壁パネルは、隣り合うパネル収納体内の壁パネルと直交しているものである。
【００２５】
第９の発明においては、建築物の４つのコーナー部にパネル収納体をそれぞれ設けているので、４つの壁面を備えた直方体の建築物が構築される。
【００２６】
第１０の発明に係る建築物の壁面構造は、上記第５〜第９の発明のうちのいずれか１つにおいて、前記パネル吊架手段が、壁パネルに取付けられたボルトと、このボルトに装着されレールに沿って移動する移動体とを備え、前記壁パネルを高さ調整可能に吊架するものである。
【００２７】
第１０の発明においては、ボルトを回転させると、壁パネルが上下動して高ささが調整される。
【００２８】
第１１の発明に係る建築物の壁面構造は、上記第５〜第１０の発明のうちのいずれか１つにおいて、前記パネル吊架手段のボルトには前記送出レールおよび移送レール内を走行するための車輪を有するランナーが設けられており、このランナーは前記ボルトに対して回転自在なものである。
【００２９】
第１１の発明において、ランナーはボルトに対して回転自在であるため、移動方向の転換が容易である。
【００３０】
第１２の発明に係る建築物の壁面構造は、上記第１１の発明において、前記パネル吊架手段の移動方向を転換させる方向転換装置が前記送出レールと移送レールとの交差部に設置されており、この方向転換装置は、前記交差部に水平面内において回転自在に配置された回動レールを備え、この回動レールは、前記パネル吊架手段のボルトが出入りする長孔と、当該回動レールを回転させるための回転操作部とが設けられているものである。
【００３１】
第１２の発明においては、方向転換装置の回動レールによってパネル吊架手段の移動方向を転換し、送出レールから移送レールにまたは移送レールから送出レールに移す。
【００３２】
第１３の発明に係る建築物の壁面構造は、上記第１２の発明において、前記壁パネルを移動させて前記回動レール内に前記パネル吊架手段を進入させた後、前記回動レールを前記回転操作部を用いて回転させて前記パネル吊架手段の走行方向を転換させることにより前記壁パネルの移動方向を変更させるものである。
【００３３】
第１３の発明においては、回動レールの回転操作部が同回動レールを回動させる。
【００３４】
第１４の発明に係る建築物の壁面工法は、複数の鋼材で基礎体を構築する工程と、前記基礎体上に建築される建築物であって、内部がパネル収納空間を形成し、上部に壁面と直交する送出レールを有するパネル収納体を製作する工程と、前記パネル収納体のパネル収納空間内に複数枚の壁パネルをその板厚方向に重ね合わせて垂直に、かつパネル吊架手段によって前記送出レールに沿って板厚方向に移動自在に吊架して収納する工程と、前記壁パネルを吊架、収納した前記パネル収納体を前記基礎体上に設置固定して前記壁パネルによって形成される壁面構造の一端とする工程と、前記パネル収納体の上枠部材と、前記壁面構造の他端側に位置する柱または該他端側に設けた他のパネル収納体の上枠部材とを建築物の構造体の一部を構成する軒梁部材によって互いに連結する工程と、前記パネル収納体内の壁パネルを前記送出レールに沿って順次引き出して前記軒梁部材および前記上枠部材に予め設けた移送レールに沿って前記柱または他方のパネル収納体に向かって壁面と平行に移動させることにより、前記パネル収納体と前記柱または他方のパネル収納体間を前記複数枚の壁パネルで覆う工程と、前記パネル吊架手段によって各壁パネルを下降させて該壁パネルの上端側と下端側を前記移送レールと、この移送レールに対向して前記基礎体上に予め設けた位置決め部材に位置決め、固定することにより壁面を形成する工程とを備えたものである。
【００３５】
第１４の発明においては、壁パネルを吊架、収納するパネル収納体が基礎体上に設置される。壁パネルはパネル吊架手段によってパネル収納体内に吊架、収納されており、パネル収納体から引き出されると移送レールに沿って移動し、隣り合うものどうしの側端が互いに当接することにより１つの壁面を形成する。この後、パネル吊架手段によって壁パネルを下降させ、その上下端を位置決め、固定することにより壁面構造が完成する。
【００３６】
第１５の発明に係る建築物の壁面工法は、建築現場に基礎体を構築する工程と、複数枚の壁パネルをパネル吊架手段により該壁パネルの板厚方向に延在する送出レールに沿って引き出し自在に吊架、収納したパネル収納体を前記基礎体の各コーナー部に、内部の壁パネルが隣り合うパネル収納体内の壁パネルと互いに直交するようにそれぞれ向きを変えて設置するとともに、隣り合うパネル収納体の上枠部材を軒梁部材によって互いに連結する工程と、前記各コーナー部に設置されたパネル収納体内の壁パネルを前記送出レールに沿って順次引き出した後、前記軒梁部材および前記上枠部材に予め設けた移送レールに沿って移動させることにより、隣り合うコーナー部間を前記複数枚の壁パネルによってそれぞれ覆う工程と、前記パネル吊架手段によって各壁パネルを下降させて該壁パネルの上端側と下端側を前記移送レールと、この移送レールに対向して前記基礎体上に予め設けた位置決め部材に位置決め、固定することにより建築物の壁面を形成する工程とを備えたものである。
【００３７】
第１５の発明においては、壁パネルを吊架、収納する４つのパネル収納体が製作されて基礎体の各コーナー部に設置される。各パネル収納体から引き出された壁パネルは移送レールに沿って順次移動して一連に並び、隣り合うものどうしの側端が互いに接触することにより壁面を形成する。この後、パネル吊架手段によって壁パネルを下降させ、その上下端を位置決め、固定することにより建築物の４つの壁面構造が完成する。
【００３８】
ここで、本発明における「建築物」とは、人が居住したり仕事やスポーツをしたりするための空間を形成する建造物に限らず、建築現場や興行用のテントや建物などを取り囲むために建てられる壁、塀をも含む広い用語として理解されるべきである。
また、本発明における「基礎体」とは、建築物の構造体が構築される基礎部分の全般を意味する広い用語であって、一般の土台（横木）、布基礎等の基礎コンクリート、基礎コンクリートとその上に敷設される形材等のように、どのような素材によって構築されるものであってもよい。
【００３９】
【発明の実施の形態】
以下、本発明を図面に示す実施の形態に基づいて詳細に説明する。
図１は本発明に係る壁面構造を備えた建築物の一実施の形態を示す外観斜視図、図２は同じく建築物の壁面構造を示す斜視図、図３は壁パネルをパネル収納体内に吊架、収納した状態における構造体の斜視図、図４は壁パネルの縦断面図、図５は同壁パネルの接合部の横断面図、図６はパネル吊架手段による壁パネルの吊架状態を示す要部の斜視図である。
【００４０】
先ず、本発明に係る建築物とその壁面構造を図１〜図３に基づいて説明すると、全体を符号２０で示す建築物はスーパーストーア、ファミリーレストラン等のチェーン店として用いられるプレハブ式の建物からなり、直方体の鉄骨製構造体２１（以下、単に構造体という）と、この構造体２１の上面を覆う屋根ユニット２２と、構造体２１の前後、左右４つの壁面を形成する４つの壁面構造、すなわち前面側、後面側および左右２つの側面側壁面構造２３Ａ〜２３Ｄと、屋根ユニット２２の前端および左右両側を取り囲む庇ユニット２４と、図示を省略した床ユニット等で構成されている。また、建築物２０は、間口が５間、奥行きが３間で、前記前面側壁面構造２３Ａと後面側壁面構造２３Ｂをそれぞれ垂直な５枚の壁パネル２５によって形成し、左右の側面側壁面構造２３Ｃ，２３Ｄをそれぞれ垂直な３枚の壁パネル２５によって形成している。
【００４１】
前記壁パネル２５の材質としては、所要の強度、剛性を有するものであれば金属、合成樹脂、ガラス、スレート等どのような材質のものでもあってもよい。また、取付け箇所によっては窓２６やドア２７を備えたものやガラス板３１をパネルとして用いたもの等が用いられる。因みに、本実施の形態において、前面側壁面構造２３Ａは、５枚の壁パネル２５のうち１枚のパネル２５Ａが枠体３０（図４）に組み込まれた観音開きのドア２７からなり、２枚のパネル２５Ｂが同じく枠体３０に組み込まれたガラス板３１からなり、残り２枚のパネルが窓等を備えない後述する通常のパネルとされている。後面側壁面構造２３Ｂと右側面（前方から見て）側壁面構造２３Ｄは、全ての壁パネル２５が通常のパネルによって形成され、左側面（前方から見て）側壁面構造２３Ｃは、３枚の壁パネル２５のうち、１枚が窓２６を備えたパネル２５Ｃで、残り２枚が通常のパネルによって形成されている。なお、通常のパネル以外の壁パネル２５Ａ，２５Ｂ，２５Ｃについては、通常の壁パネル２５で壁面構造の一部を形成した後、後工事によって取付けるようにしてもよい。
【００４２】
図４および図５において、通常の壁パネル２５は、枠体３０と、この枠体３０の表裏面にそれぞれ取付けられた外装パネル３２および内装パネル３３等で構成され、両端部が後述するパネル吊架手段３４（図６）によってそれぞれ吊架されている。前記枠体３０は、アルミニウム、鉄等によって形成された断面形状が矩形の押出形材あるいは金属板の曲げ加工によって形成されており、上部に前記パネル吊架手段３４が取付けられ、下面および両側面にはブラケット３５，３６がそれぞれ取付けられている。
【００４３】
前記外装パネル３２の両側面には、前記ブラケット３６との隙間をシールするシール部材３７がそれぞれ取付けられている。
【００４４】
前記内装パネル３３は、内部に発泡樹脂、ガラスウール等の断熱材が組み込まれており、一方の側面に凹陥部３８が形成されるとともに目地パッキン３９が取付けられ、他方の側面には前記凹陥部３８と相似形ではあるがこれより若干小さい嵌合凸部４０が一体に突設されており、この嵌合凸部４０を隣り合う壁パネル２５の凹陥部３８に前記目地パッキン３９を介して嵌合することにより、隣り合う壁パネル２５どうしの隙間を気密にシールするようにしている。
【００４５】
前記枠体３０の下面側に取付けられている前記ブラケット３５には、後述する位置決め部材６０との隙間をシールするシール部材４１ａ，４１ｂが取付けられている。前記枠体３０の側面側に取付けられている前記ブラケット３６には、隣り合う壁パネル２５の枠体３０どうしの隙間をシールするシール部材４２ａ，４２ｂが取付けられている。シール部材４２ａは、ゴム等によって板状に形成され、枠体３０の図５において左側の側面に取付けられるブラケット３６にのみ取付けられている。シール部材４２ｂは、スポンジ等によって形成され、枠体３０の左右両側面に取付けられるブラケット３６に対してそれぞれ取付けられている。
【００４６】
前記壁パネル２５のうち、特に建築物２０の各コーナー部Ｋ（図２）にそれぞれ２枚ずつ直交して設けられる合計８枚の壁パネル２５については、さらにその表面側が化粧パネル４４（図１）によって覆われており、これによって建築物２０の壁面の美観および構造体２１のコーナー部Ｋの強度を高めるるようにしている。化粧パネル４４は、壁パネル２５によって壁面構造を構築した後、壁パネル２５に取付けられる。
【００４７】
図３において、前記構造体２１は、基礎体５１上に立設された複数本の柱５２および仮設柱５３と、隣り合う柱５２の上端をそれぞれ連結する連結部材としての軒梁部材５５および上枠部材５６と、仮設梁５７（５７ａ〜５７ｃ）等で構成されている。
【００４８】
前記基礎体５１は、前記構造体２１が構築される基礎部分（土台部分）で、建築物２０の設置現場に施工された底盤コンクリート５０と、この底盤コンクリート５の上に設けられた左右２つの基礎枠５８，５８（図８）と、これらの基礎枠５８を連結する前後一対の基礎梁（土台）５９，５９とで構成されている。各基礎枠５８は、基礎梁５９と同一の形材からなる梁部材を接合することによって形成されている。また、各基礎枠５８の外側３辺の上面と前記各基礎梁５９の上面には、前記壁パネル２５の下端を位置決めする位置決め部材６０（図４）が後述する移送レール７６に対応して敷設されている。
【００４９】
図４において、前記位置決め部材６０は、アルミニウムの押出形材によって断面形状が複雑な平板状に形成されて、上面に水切りをよくするために室外側が室内側よりも低い段差を有し、また上面中央には壁パネル２５の位置決め壁６２が全長にわたって一体に突設されている。この位置決め壁６２は、壁パネル２５を板厚方向に位置決めし風圧による厚さ方向の移動を規制防止するためのもので、壁パネル２５を下降させてシール部材４１ａ、４１ｂを位置決め部材６０の上面に押し付けると、前記ブラケット３５に固定されているＬ型の金具６３と、該ブラケット３５のシール部材４１ｂを保持している保持部３５ａとの間に前記位置決め壁６２が差し込まれ、これによって壁パネル２５の下端が厚さ方向にがたつくのを防止している。
【００５０】
前記構造体２１を構成する構造部材のうち、各コーナー部Ｋに位置する一部の構成部材は、工場で組立てられることによりユニット化された直方体のパネル収納体６４（６４Ａ〜６４Ｄ）をそれぞれ形成している。すなわち、このパネル収納体６４は、搬送時においては内部に所定枚数の壁パネル２５を収納して工場から建築現場に搬送されることにより壁パネル２５の搬送ケースを形成し、基礎体５１上に設置されることにより構造体２１の一部を構成するもので、コーナー部Ｋに位置する合計３本の柱５２ａ〜５２ｃと、１本の仮設柱５３と、柱５２ａと５２ｂ、５２ａと５２ｃの上下端をそれぞれ連結する上枠部材５６および前記基礎体５８の一部と、３本の仮設梁５７（５７ａ〜５７ｃ）等で構成され、内部が壁パネル２５を収納するパネル収納空間６７を形成している。
【００５１】
前記柱５２ａは、構造体２１のコーナーに位置する柱である。前記柱５２ｂ，５２ｃは、コーナーに位置する柱５２ａと間口方向および奥行き方向にそれぞれ隣り合う柱であり、前記仮設柱５３はコーナーの柱５２ａと対角位置に設けられている。
【００５２】
前記３本の仮設梁５７ａ〜５７ｃのうち、１本の仮設梁５７ａは、柱５２ｂまたは５２ｃと仮設柱５３の上端を連結している。残り２本の仮設梁５７ｂ，５７ｃは、前記仮設梁５７ａとこれと平行な前記上枠部材５６とを互いに連結している。前記仮設梁５７ｂ，５７ｃは互いに平行で、パネル収納空間６７の上方に当該パネル収納空間６７内の壁パネル２５の表裏面と直交するように、かつ壁パネル２５両端部付近にそれぞれ位置するように設けられており、下面には前記壁パネル２５をパネル収納空間６７から引き出したり、収納するための送出レール６８がそれぞれ設けられており、この送出レール６８に前記壁パネル２５を移動自在に吊り下げている。
【００５３】
図３において、各コーナー部Ｋに設けられるパネル収納体６４のうち、建築物２０の前方から見て前面左側のパネル収納体６４Ａは、前記前面側壁面構造２３Ａを形成する５枚の壁パネル２５をその引き出し順序にしたがって板厚方向に重ね合わせて垂直に、かつパネル面が前面側壁面構造２３Ａの壁面と平行になるように収納している。このため、パネル収納体６４Ａの上部に設けられる２本の送出レール６８は、建築物２０の前後方向に延在し、前記前面側壁面構造２３Ａを構成する壁パネル２５と直交している。
【００５４】
建築物２０の裏面右側のパネル収納体６４Ｂは、前記前面左側のパネル収納体６４Ａと全く同様の構成であり、前記後面側壁面構造２３Ｂを形成する５枚の壁パネル２５をその引き出し順序にしたがって板厚方向に重ね合わせて垂直に、かつパネル面が後面側壁面構造２３Ｂの壁面と平行になるように収納している。このため、パネル収納体６４Ｂの上部に設けられる２本の送出レール６８は、長手方向が建築物２０の前後方向と一致し、前記裏面側壁面構造２３Ｂを構成する壁パネル２５と直交している。
【００５５】
前方から見て左側面後方側のパネル収納体６４Ｃは、前記左側面側壁面構造２３Ｃを形成する３枚の壁パネル２５をその引き出し順序にしたがって板厚方向に重ね合わせて垂直に、かつパネル面が左側面側壁面構造２３Ｃの壁面と平行になるように収納している。このため、パネル収納体６４Ｃの上部に設けられる２本の送出レールは６８は、長手方向が建築物２０の左右方向と一致し、前記左側面側壁面構造２３Ｃを構成する壁パネル２５と直交している。
【００５６】
前方から見て右側面前方側のパネル収納体６４Ｄは、前記左側面後方側のパネル収納体６４Ｃと全く同様の構成であり、前記右側面側壁面構造２３Ｄを形成する３枚の壁パネル２５をその引き出し順序にしたがって板厚方向に重ね合わせて垂直に、かつパネル面が右側面側壁面構造２３Ｄの壁面と平行になるように収納している。このため、パネル収納体６４Ｄの上部に設けられる２本の送出レール６８は、長手方向が建築物２０の左右方向と一致し、前記右側面側壁面構造２３Ｄを構成する壁パネル２５と直交している。
【００５７】
前記送出レール６８は、図６に示すように断面形状が矩形の中空材からなり、下面中央にはスリット７０が全長にわたって形成され、内部に前記パネル吊架手段３４の上端部が摺動自在に挿入されている。
【００５８】
前記パネル吊架手段３４は、図４および図６に示すように壁パネル２５の枠体３０の上面に突出して設けられたボルト７２と、このボルト７２に嵌着された移動子７３と、ボルト７２に螺合する２つのロックナット７４ａ，７４ｂとで構成され、壁パネル２５を高さ調整可能に吊架している。ボルト７２の頭部７２ａは、前記移動子７３とともに前記送出レール６８の内部に挿入され、ねじ部７２ｂが前記スリット７０を通って送出レール６８の下方に延在し、前記枠体３０に設けた挿通孔７５を貫通している。前記移動子７３はリング状の板からなり、前記送出レール６８の内底面に沿って移動する。
【００５９】
前記ロックナット７４ａ，７４ｂのうち上側のロックナット７４ａは、ボルト７２に溶接によって固定されている。一方、下方のロックナット７４ｂは、前記枠体３０の上面に溶接によって固定されており、前記ボルト７２が螺合している。上側のロックナット７４ａをスパナ等の工具によって緩み方向に回転させると、この回転に伴いボルト７２もナット７４ａと一体に回転して上昇する。ボルト７２が緩み方向に回転すると、枠体３０は自重により相対的に下降することで壁パネル２５の高さが調整される。パネル吊架手段３４による壁パネル２５の高さ調整範囲は、２０ｍｍ程度である。
【００６０】
図４および図６において、前記柱５２の上端を接続する全ての軒梁部材５５と各パネル収納体６４の上枠部材５６の下面には、前記壁パネル２５をその面方向に移動させる移送レール７６がそれぞれ敷設されている。この移送レール７６は、図４に示すように前記送出レール６８と同一形状に形成されることにより、下面中央に前記ボルト７２が挿通するスリット７７を有している。また、移送レール７６は、前記送出レール６８と同一高さになるように、かつ互いに連通するように設けられることにより、前記パネル吊架手段３４の送出レール６８から移送レール７６への移動およびこの逆への移動を可能にしている。このため、前記送出レール６８のパネル送出側開口端面６８ａ（図６）が移送レール７６に対して直角に当接し、またこの開口端面６８ａが当接する移送レール７６の当接面にはパネル吊架手段３４の出入りを可能にする開口部７８が形成されている。また、送出レール６８の底板部分には、前記スリット７０とスリット７７とを互いに連通させる連通溝６８ｂが形成されている。さらに、移送レール７６の下面と壁パネル２５の上面には、壁パネル２５を前記パネル収納体６４から引き出して所定の位置に移動させた後、固定するための金具７９，８０がそれぞれ固定されている。
【００６１】
次ぎに、本発明に係る上記した建築物２０の壁面工法を図４〜図１５に基づいて詳述する。
先ず、図７に示すように建築物２０の建設予定地にコンクリートを打ち込み底盤コンクリート５０を施工する。次ぎに、底盤コンクリート５０の上に２つの基礎枠５８（図８）を構築し、これらの基礎枠５８を基礎梁５９によって互いに連結することにより基礎体５１（図８）とする。さらに、基礎体５１の軒梁部材５５（図３）と対向する上面に位置決め部材６０を敷設する（図９）。
【００６２】
ここで、基礎体５１としては、底盤コンクリート５０と基礎枠５８とで構築されるものに限らず、種々の基礎体を施工するが可能である。
例えば、図１０に示すように底盤コンクリート５０と、この底盤コンクリート５０の上にバー材（形材）を建築物２０の底面形状と同一形状の矩形枠状に連結して形成した基礎枠５８’とで基礎体５１’としたものであってもよい。
【００６３】
また、図１１に示すように、在来工法の基礎コンクリート（布基礎）９０を基礎体５１として用い、その上面に位置決め部材６０を直接敷設してもよい。
【００６４】
次ぎに、複数枚の壁パネル２５を吊架、収納した４つのパネル収納体６４Ａ〜６４Ｄを前記基礎体５１の各コーナー部にそれぞれ設置する（図１２）。
【００６５】
パネル収納体６４Ａ〜６４Ｄは工場において製作され、それぞれ所定枚数の壁パネル２５をその排出順序にしたがって板厚方向に重ね合わせて吊架、収納し、適宜なバンドによって壁パネル２５を緊縛した後、建築現場にトラックで搬送される。そして、クレーンによって吊り下げられ、前記基礎体５１の所定箇所に据え付けられる。
【００６６】
パネル収納体６４としては、工場で組み立てる際、図１３に示すようにパネル収納体６４の下端に基礎体５１の一部を構成する基礎枠（形材）５８’も予め取付けておき、複数枚の壁パネル２５を吊架、収納して工場から設置現場に搬送するようにしてもよい。このように各パネル収納体６４の下端に基礎枠５８’を取付けて搬送すると、パネル収納体６４の強度が増大するため、搬送時の変形、歪み等を防止することができる。
【００６７】
パネル収納体６４Ａ〜６４Ｄを基礎体５１上に設置した後、さらにその上に柱５２を立て、軒梁部材５５を隣り合うパネル収納体６４間に架設し、前記パネル収納体６４Ａ〜６４Ｄを含む構造体２１を構築する。図１４は構造体２１が構築された状態を示す。そして、全ての軒梁部材５５と上枠部材５６の下面に移送レール７６を敷設する。
【００６８】
次ぎに、各パネル収納体６４Ａ〜６４Ｄ内に吊架、収納されている壁パネル２５を送出レール６８に沿ってパネル排出方向に移動させることにより壁パネル２５を当該パネル収納体から引き出す。さらに、引き出した壁パネル２５を移送レール７６に沿って図１４の矢印１，Ｙ２，Ｙ３，Ｙ４方向にそれぞれ移動させて隣り合うパネルどうしの側端面を互いに突き合わせることにより、構造体２１の前後左右４つの壁面を壁パネル２５によって覆う。
【００６９】
次ぎに、パネル吊架手段３４によって各壁パネル２５を所定量下降させ、ブラケット３５に取付けているシール部材４１ａ，４１ｂを位置決め部材６０の上面に押し付ける（図４）。壁パネル２５を下降させると、位置決め壁６２は相対的に上昇するため金具６３とブラケット３５の保持部３５ａとの間に侵入して壁パネル２５の下端を位置決めし、前後方向のがたつきを防止する。そして、パネル側の固定金具８０を移送レール７６側の固定金具７９にボルトによって固定する（図６）。これによって、壁パネル２５の上下端が構造体２１に対して位置決め固定され、もって建築物２０の４つの壁面構造２３Ａ〜２３Ｄが完成する（図２）。
【００７０】
壁パネル２５を各パネル収納体６４Ａ〜６４Ｄから順次引き出して４つの壁面構造２３Ａ〜２３Ｄが完成した後、仮設柱５３を取り除く（図１４）。これは壁パネル２５を各パネル収納体６４から引き出した後は、壁パネル２５の重量を支える必要がないためと、室内を広く有効に利用するためである。
【００７１】
このように本発明に係る壁面工法は、パネル収納体６４内に吊架、収納した複数枚の壁パネル２５を順次引き出して一連に並べることにより壁面を形成するようにしているので、作業者が建築現場で壁パネル２５を一枚ずつ穴明け等の加工を施しながら取付ける必要がなく、壁面を短時間でしかも熟練を要さず、容易に構築することができる。したがって、工期を大幅に短縮でき施工費用を低減することができる。
【００７２】
図１５は本発明の他の実施の形態を示すもので、基礎体上に設置されたパネル収納体の斜視図である。
この実施の形態は、間口が広い建築物に適用した例を示すもので、このため合計６個のパネル収納体６４Ａ〜６４Ｆを製作してその中に複数枚の壁パネル２５を吊架、収納し、これらのパネル収納体を工場から設置現場に搬送した後、基礎体５１の各コーナー部と間口の中間部にそれぞれ設置したものである。この場合、パネル収納体６４Ａ内に収納されている壁パネル２５によってパネル収納体６４Ａからパネル収納体６４Ｅまでの壁面を形成する。さらに、パネル収納体６４Ｅ内に収納されている壁パネル２５によってパネル収納体６４Ｅからパネル収納体６４Ｄまでの壁面を形成し、パネル収納体６４Ｂ内に収納されている壁パネル２５によってパネル収納体６４Ｂからパネル収納体６４Ｆまでの壁面を形成し、パネル収納体６４Ｆ内に収納されている壁パネル２５によってパネル収納体６４Ｆからパネル収納体６４Ｃまでの壁面を形成し、パネル収納体６４Ｃ内に収納されている壁パネル２５によってパネル収納体６４Ｃからパネル収納体６４Ａまでの壁面を形成し、パネル収納体６４Ｄ内に収納されている壁パネル２５によってパネル収納体６４Ｄからパネル収納体６４Ｂまでの壁面を形成する。
【００７３】
このような構造においても、上記した実施の形態と同様な効果が得られることは明らかであろう。
【００７４】
図１６は本発明のさらに他の実施の形態を示す方向転換装置の水平断面図、図１７は図１６のＡ−Ａ線拡大断面図、図１８は図１６のＢ−Ｂ線拡大断面図である。これらの図において、この実施の形態は、パネル吊架手段３４の移動子を車輪１０１によって構成し、送出レール６８Ａ，６８Ｂ、移送レール７６との摩擦を少なくすることにより、壁パネル２５を容易に移動させるようにしている。また、送出レール６８Ａ，６８Ｂと移送レール７６との交差部１０３，１０４に前記パネル吊架手段３４の移動方向を水平面内において９０°転換させる方向転換装置１０５，１０６をそれぞれ設けている。
【００７５】
前記パネル吊架手段３４は、ボルト７２と、このボルト７２に回転自在に嵌着されたランナー１０７とで構成されている。ボルト７２は、下端側が送出レール６８Ａ（６８Ｂ）のスリット７０を通って下方に延在しブラケット１０８にナット７４を介して連結されている。ブラケット１０８は、壁パネル２５の上面に設けた枠体３０上に立設されている。
【００７６】
壁パネル２５をパネル収納体６４から引き出して所定の位置に位置決め固定するときは、ボルト７２を回転させて壁パネル２５を下降させ、位置決め部材６０（図４）に対して位置決め固定する。壁パネル２５を下降させる際は、移送レール７６に設けた高さ調整用孔１０９（図１６）にラチェットを上方から差し込んでボルト７２を回転させればよい。高さ調整用孔１０９は、移送レール７６に沿って所定位置に引き出された壁パネル２５の各パネル吊架手段３４に対応するように形成される。ただし、パネル収納体６４内に収納されている複数枚の壁パネル２５のうち最後に引き出されるものについては、移送レール７６に沿って移動せず、その引出位置に固定されるため、前記方向転換装置１０５，１０６とパネル吊架手段３４とが重なり合って移送レール７６の上方からボルト７２を回転調整することができず、したがって、最後に引き出される壁パネル２５については前記ナット７４をスパナ等で緩めて壁パネル２５を下降させ、位置決め部材６０に対して位置決め固定することになる。
【００７７】
前記ランナー１０７は、ランナー本体１１０と、このランナー本体１１０の両側面にそれぞれ２個ずつ回転自在に設けられた合計４個の車輪１０１とで構成されている。前記車輪１０１は、壁パネル２５がパネル収納体６４に収納されている状態において、送出レール６８Ａ（または６８Ｂ）の左右の底板部１１２ａ，１１２ｂ上にそれぞれ載って転動する。
【００７８】
前記パネル収納体６４の移送レール７６は、前記各送出レール６８Ａ，６８Ｂが接続される部分に上下に開放する円形孔がそれぞれ設けられることより３つのレール部分に分断されており、これらの円形孔が前記交差部１０３，１０４を形成している。また、円形孔からなるこれらの交差部１０３，１０４は、移送レール７６の上面に連結プレート１１５を複数個のボルト１１６およびナット１１７によって固定することにより覆われており、この連結プレート１１５によって分断された３つのレール部分を連結し１本の移送レール７６としている。
【００７９】
前記方向転換装置１０５，１０６は、前記各交差部１０３，１０４にそれぞれ水平面内において回転自在に配置された回動レール１２０を備えている。回動レール１２０は、上下に平行に対向する円板状の上板１２１および下板１２２と、上板１２１と下板１２２の外周縁部２箇所を連結する互いに対向した一対の連結板１２３とで構成されている。このような回動レール１２０は、鋳物製であって壁パネル２５の重量に十分に耐え得る強度を有している。前記上板１２１は、前記連結プレート１１５に設けた回動軸１２４によって回転自在に軸支されている。前記下板１２２は、上面が送出レール６８Ａ，６８Ｂの底板部１１２ａ，１１２ｂの上面と同一高さで、長孔１２６、一対の突条体１２７および回転操作部１２８を有している。
【００８０】
前記長孔１２６は、前記パネル吊架手段３４のボルト７２の出入りを可能にするもので、下板１２２の径方向に形成されており、孔幅が前記ボルト７２の外径より大きく設定されている。この場合、２つの方向転換装置１０５と１０６は、回動レール１２０の長孔１２６の長さが異なっている点で相違している。すなわち、方向転換装置１０５の回動レール１２０の長孔１２６は、下板１２２の中心を横断して両端が下板１２２の外周に開放している。これに対して、方向転換装置１０６の回動レール１２０の長孔１２６は、下板１２２の外周より中央にまで延在し一端のみが開放している。これは、壁パネル２５をパネル収納体６４から移送レール７６の下方に送り出したとき、送出レール６８Ｂ側のパネル吊架手段３４のボルト７２を前記長孔１２６の閉塞端１２６ａに当接させることにより、ボルト７２を移送レール７６の幅方向中央に停止させ、車輪１０１を下板１２２から移送レール７６へ円滑に受渡すことができるようにするためである。ただし、送出レール６８Ｂ側のパネル吊架手段３４を位置決めしただけでは不十分なときは、交差部１０３側に設けられる方向転換装置１０５の回動レール１２０の長孔１２６も外周より中央にまで延在する一端のみが開放した長孔に形成すればよい。この場合は、方向転換装置１０５と１０６を同一構造とすることができ、方向転換装置の種類を削減することができる。
【００８１】
前記一対の突条体１２７は、前記長孔１２６の両側に位置するように下板１２２の上面に突設されており、前記車輪１０１の左右方向への移動を防止している。このため、一対の突条体１２７の間隔は、左右の車輪１０１の間隔より若干狭く設定されている。
【００８２】
前記回転操作部１２８は、図１８に示すように下板１２２の下面に一体に突設されており、小孔１３１を有している。
【００８３】
パネル収納ケース６４から壁パネル２５を引き出して壁面を形成するときは、予め各方向転換装置１０５，１０６の回動レール１２０の長孔１２６の向きが送出レール６８Ａ，６８Ｂの長手方向と一致しているか否かを確認する。一致していないときは、ドライバー等の適宜な工具１３２（図１６）を回転操作部１２８の小孔１３１に差し込んで回動レール１２０を回動させ、長孔１２６を各送出レール６８，６８Ｂのスリット７０と一致させる。
【００８４】
次に、パネル収納体６４内の壁パネル２５を図１６の送出方向に移動させる。壁パネル２５を送出方向に移動させると、左右一対のパネル吊架手段３４の車輪１０１は、送出レール６８Ａ，６８Ｂ内を転動し、各方向転換装置１０５，１０６の回動レール１２０上に乗り移る。そして、パネル送出方向とは反対側のパネル吊架手段３４のボルト７２が方向転換装置１０６の回動レール１２０の長孔１２６の終端１２６ａに当接すると（図１９）、壁パネル２５はその位置で停止する。
【００８５】
次に、作業者が適宜な工具１３２によって方向転換装置１０５，１０６の回動レール１２０を図１６、図１９において時計方向に９０°順次回動させる。これにより、パネル吊架手段３４のランナー１０７の向きが９０°転換される。そして、壁パネル２５を移送方向に移動させると、車輪１０１は回動レール１２０から移送レール７６内を転動して壁パネル２５を所定の位置に移動させる。このようにしてパネル収納体６４内の壁パネル２５を順次引き出して一連に並べると上記した建築物の壁面構造が構築される。
【００８６】
このような構造においては、パネル吊架手段３４にレール上を転動する車輪１０１を設けているので、壁パネル２５を僅かな力で移動させることができ、作業者の肉体的負担を軽減することができる。また、方向転換装置１０５，１０６を備えているので、壁パネル２５の移動方向を転換するときパネル吊架手段３４に無理な力が加わることもない。
【００８７】
なお、上記した実施の形態においては、いずれも４つの壁面を有する建築物に適用した例を示したが、本願発明はこれに何ら限定されるものではなく、建築現場などに設置される塀にも適用することが可能である。
また、パネル収納体６４の設置箇所としては、壁面構造の端に限らず、中間部に設けられるものであってもよく、その場合はパネル収納体６４から引き出した壁パネル２５を両端に向かって移動させればよい。
また、１つの壁面構造に対して２つのパネル収納体６４を設置する例として、図１５においては壁面構造の一端と中間部にパネル収納体（６４Ａと６４Ｅ、６Ｂと６４Ｆ）をそれぞれ設置したが、両端にそれぞれ設置し、各パネル収納体から引き出した壁パネル２５を壁面構造の中央部に向かって移動させるようにしてもよい。
また、パネル収納体６４としては、柱材によって直方体のパネル収納空間を形成したものに限らず、パネルによって形成したものであってもよい。
さらに、本発明における壁面構造は、間口あるいは奥行き方向の全長にわたる壁面構造に限らず、その一部を本発明による壁面構造とし、残りの部分をコンクリートなどの駆体で構成した建築物であってもよい。
【００８８】
【発明の効果】
以上説明したように、本発明に係るパネル収納体は、壁パネルの搬送時にはパネルの搬送ケースとして用いることができ、また建築後は施工現場の基礎体上に設置することで建築物の構造体の一部として使用することができる。
また、本発明に係るパネル収納体は、建築時において取り外すことが可能な仮設柱材を備えているので、この仮設柱材を取り外すことにより、室内が広くなり有効に利用することができる。
さらに、隣り合う柱材の下端どうしを連結する形材を備えたパネル収納体においては、強度が増大し、搬送時に変形したり歪んだりするのを防止することができ、また当該形材を基礎体の一部として用いることができる。
【００８９】
本発明に係る建築物の壁面構造およびその壁面工法は、パネル収納体内に吊架、収納した複数枚の壁パネルを順次引き出して壁面を形成するように構成したので、建築現場で壁パネルを一枚ずつ穴明け等の加工を施しながら取付ける必要がなく、壁面を短時間にしかも熟練を要さず、容易に構築することができる。したがって、工期の大幅な短縮と施工費用の軽減を達成することができる。
また、壁パネルはパネル吊架手段によって吊架されているので、作業者が壁パネルを持ち上げたりする必要がなく、作業者の肉体的負担を軽減することができる。
また、パネル吊架手段に車輪を設け、送出レールと移送レールとの交差部に方向転換装置を設けた建築物の壁面構造においては、パネル吊架手段を確実に方向転換させることができ、壁パネルの引出し、収納作業を容易に行うことができ、作業者の肉体的負担を軽減することができる。
さらに、建築物はプレハブ式であるため、解体、移設、再使用等も容易である。
【図面の簡単な説明】
【図１】本発明に係る壁面構造を備えた建築物の一実施の形態を示す外観斜視図である。
【図２】同じく建築物の壁面構造を示す斜視図である。
【図３】壁パネルをパネル収納体内に吊架、収納した状態の構造体を示す斜視図である。
【図４】壁パネルの縦断面図である。
【図５】同壁パネルの接合部の横断面図である。
【図６】壁パネルのパネル吊架手段による壁パネルの吊架状態を示す要部の斜視図である。
【図７】建築物の壁面工法の手順を示す図で、底盤コンクリートを施工する工程を示す図である。
【図８】建築物の壁面工法の手順を示す図で、基礎体を構築する工程を示す図である。
【図９】建築物の壁面工法の手順を示す図で、位置決め部材を敷設する工程を示す図である。
【図１０】基礎体の他の実施の形態を示す分解斜視図である。
【図１１】基礎体のさらに他の実施の形態を示す分解斜視図である。
【図１２】建築物の壁面工法の手順を示す図で、パネル収納体の設置と構造体の構築工程を示す図である。
【図１３】パネル収納体の他の実施の形態を示す分解斜視図である。
【図１４】建築物の壁面工法の手順を示す図で、壁面を形成する工程を示す図である。
【図１５】本発明の他の実施の形態を示すもので、基礎体上に設置されたパネル収納体の斜視図である。
【図１６】本発明のさらに他の実施の形態を示す方向転換装置の水平断面図である。
【図１７】図１６のＡ−Ａ線拡大断面図である。
【図１８】図１６のＢ−Ｂ線拡大断面図である。
【図１９】壁パネルの引出し手順を説明するための図である。
【図２０】壁パネルの引出し手順を説明するための図である。
【図２１】従来の建築物の概略断面図である。
【符号の説明】
２０…建築物、２１…構造体、２３Ａ〜２３Ｄ…壁面構造、２５、２５Ａ，２５Ｂ…壁パネル、３４…パネル吊架手段、５２，５２ａ〜５２ｃ…柱、６４，６４Ａ〜６４Ｆ…パネル収納体、５０…底盤コンクリート、５１…基礎体、５３…仮設柱、５５…軒梁部材、５６…上枠部材、６０…位置決め部材、６７…パネル収納空間、６８…送出レール、７２…ボルト、７３…移動子、７６…移送レール、Ｋ…コーナー部、１０１…車輪、１０３，１０４…交差部、１０５，１０６…方向転換装置、１０７…ランナー、１２０…回動レール、１２６…長孔、１２８…回転操作部。
【図１】
2004092379.tif 000003
【図２】
2004092379.tif 000004
【図３】
2004092379.tif 000005
【図４】
2004092379.tif 000006
【図５】
2004092379.tif 000007
【図６】
2004092379.tif 000008
【図７】
2004092379.tif 000009
【図８】
2004092379.tif 000010
【図９】
2004092379.tif 000011
【図１０】
2004092379.tif 000012
【図１１】
2004092379.tif 000013
【図１２】
2004092379.tif 000014
【図１３】
2004092379.tif 000015
【図１４】
2004092379.tif 000016
【図１５】
2004092379.tif 000017
【図１６】
2004092379.tif 000018
【図１７】
2004092379.tif 000019
【図１８】
2004092379.tif 000020
【図１９】
2004092379.tif 000021
【図２０】
2004092379.tif 000022
【図２１】
2004092379.tif 000023